(57)【要約】  【課題】  装置本体が取得した画像データを中継部が送信データに変換して外部へ送信する場合に、前記画像データから送信データを生成する際に発生するデータを装置本体のみで蓄積させる送信装置を提供する。  【解決手段】  装置本体１において、スキャナ制御部２２が原稿を読み取って取得した画像データに高速コーデック部１７が符号化処理を行なってファクシミリ符号データを生成する。ＭＰＵ１０は、このファクシミリ符号データに所定の制御処理を行なってＴＩＦＦ符号データに変換して画像メモリ１６に蓄積する。また、装置本体１は、画像メモリ１６に蓄積したＴＩＦＦ符号データをＮＩＣ部へ送出し、ＮＩＣ部のＭＰＵは、装置本体１から取得したＴＩＦＦ符号データに所定の制御処理を行なってＭＩＭＥ符号データに変換し、変換したＭＩＭＥ符号データをＬＡＮインタフェース３５から外部のＰＣへ送信する。【選択図】      図１
2005311445.tif 000002
【特許請求の範囲】
【請求項１】
画像データを取得する装置本体と、該装置本体が取得した画像データを外部へ送信する中継部とを接続してなり、前記装置本体が取得した画像データを第１符号データに変換し、該第１符号データを第２符号データに変換し、前記中継部が前記第２符号データを送信データに変換して外部へ送信する送信装置において、
前記装置本体は、
前記第２符号データを蓄積する蓄積手段と、
該蓄積手段に蓄積してある第２符号データを前記中継部へ送出する手段と
を備えることを特徴とする送信装置。
【請求項２】
前記装置本体は、
前記画像データを第１符号データに変換する第１符号化手段と、
該第１符号化手段が生成した第１符号データを第２符号データに変換する第２符号化手段と
を備えることを特徴とする請求項１に記載の送信装置。
【請求項３】
前記装置本体は、
前記画像データを第１符号データに変換する第１符号化手段と、
該第１符号化手段が生成した第１符号データを前記中継部へ送出する手段とを備え、
前記中継部は、
前記装置本体が送出した第１符号データを第２符号データに変換する第２符号化手段と、
該第２符号化手段が生成した第２符号データを前記装置本体へ送出する手段とを備え、
前記蓄積手段は、前記中継部が送出した第２符号データを蓄積するように構成してあることを特徴とする請求項１に記載の送信装置。
【発明の詳細な説明】
【技術分野】
【０００１】
本発明は、装置本体が取得した画像データを中継部が送信データに変換して外部へ送信する送信装置に関する。
【背景技術】
【０００２】
ＬＡＮ（Local Area Network），インターネットなどのネットワークを介して、プリンタ装置，ファクシミリ複合装置，パーソナルコンピュータ（以下、ＰＣという）などの各種の通信装置が接続されてネットワークシステムが構築され、ネットワーク接続されたこれらの通信装置間において、例えばＳＭＴＰ（Simple Mail Transfer Protocol）を利用してＭＩＭＥ（Multipurpose Internet Mail Extensions）形式のデータが送受信される。このような通信装置にあっては、データの送受信を管理する手段としてＮＩＣ（Network Interface Card）部を設けることが一般的である（例えば、特許文献１，２参照）。
【０００３】
図５はＮＩＣ部を有する従来の送信装置の概略構成例を示すブロック図である。図５に示すように、送信装置５００は、装置本体５と、装置本体５をＬＡＮ６０ｂに接続するための中継部としてのＮＩＣ部６とを備えている。装置本体５は、例えばＣＣＤを利用して光学系を介して原稿を読み取り、画像データを取得するスキャナ部５３、例えばスキャナ部５３で読み取った画像データに符号化処理を行なうコーデック部５２、原稿から読み取られて符号化された画像データを蓄積する画像メモリ５４、スキャナ部５３にて読み取った原稿の画像データに基づく画像を用紙にプリントアウトするプリンタ５５等を備えており、それぞれはバス５ａを介して相互に接続されている。
【０００４】
装置本体５において、バス５ａにはＮＩＣ部６と接続するためのコネクタ５１が接続されており、スキャナ部５３で取得した画像データをＮＩＣ部６を介して外部のＰＣへ送信する場合、装置本体５は、コーデック部５２で符号化して一旦画像メモリ５４に蓄積した上でコネクタ５１からＮＩＣ部６へ符号データを転送する。ＮＩＣ部６は、装置本体５のコネクタ５１に接続されるコネクタ６１と、ＬＡＮ６０ｂに接続されるコネクタ６０ａとを備えている。
【０００５】
ＮＩＣ部６は、コネクタ６０ａを介してＬＡＮ６０ｂに接続されたＰＣとの間でデータの送受信を行なうためのＬＡＮインタフェース６０、コネクタ６１を介して装置本体５から取得した符号データを蓄積する画像メモリ６５、ＭＰＵ（Micro Processor Unit）６２、ＲＯＭ６３、ＲＡＭ６４等を備えており、それぞれはバス６ａを介して相互に接続されている。ＮＩＣ部６のＭＰＵ６２は、ＲＯＭ６３に予め記憶してある制御プログラムを必要に応じてＲＡＭ６４に読み出して順次実行することにより、例えば、装置本体５から取得して画像メモリ６５に蓄積した符号データをＴＩＦＦ（Tagged Image File Format）形式の符号データに変換する変換処理を実行し、また生成したＴＩＦＦ形式の符号データをＭＩＭＥ形式の符号データに変換する変化処理を実行する。
【０００６】
上述した構成の送信装置５００において、装置本体５のスキャナ部５３によって原稿から読み取った画像データをＭＩＭＥ形式のデータに変換してＬＡＮ６０ｂに接続されたＰＣへ送信する場合、装置本体５は、スキャナ部５３が読み取った画像データをコーデック部５２によって符号化してファクシミリ符号データを生成して画像メモリ５４に一旦蓄積させる。装置本体５は、画像メモリ５４に蓄積した全てのファクシミリ符号データをコネクタ５１からＮＩＣ部６へ送出し、ＮＩＣ部６の画像メモリ６５に蓄積させる。
【０００７】
ＮＩＣ部６のＭＰＵ６２は、ＲＯＭ６３に記憶してある所定の制御プログラムをＲＡＭ６３に読み出して実行することにより、画像メモリ６５に蓄積されたファクシミリ符号データを順次ＴＩＦＦ形式のデータ（ＴＩＦＦ符号データ）に変換して画像メモリ６５に再度記憶させる。また、ＭＰＵ６２は、全てのファクシミリ符号データのＴＩＦＦ符号データへの変換処理が終了した場合に、生成されたＴＩＦＦ符号データを順次ＭＩＭＥ形式のデータ（ＭＩＭＥ符号データ）に変換して画像メモリ６５に再度記憶させる。この結果、ＮＩＣ部６は、上述したように生成して画像メモリ６５に蓄積されたＭＩＭＥ符号データを、ＬＡＮ６０ｂに接続された所定のＰＣを示すアドレス宛に送信することができる。
【特許文献１】特開２００２−２９０６５７号公報
【特許文献２】特開平１１−６８８２５号公報
【発明の開示】
【発明が解決しようとする課題】
【０００８】
しかし、上述したような送信装置５００においては、装置本体５に、スキャナ部５３が原稿から読み取ってコーデック部５２によって符号化されたファクシミリ符号データを一時的に蓄積するための画像メモリ５４を設ける必要があると共に、ＮＩＣ部６に、装置本体５から入力されたファクシミリ符号データ、ＭＰＵ６２によって生成されるＴＩＦＦ符号データ及びＭＩＭＥ符号データを一時的に蓄積するための画像メモリ６５を設ける必要がある。従って、大量ページの原稿から読み取った画像データの送信処理を可能とするために、装置本体５及びＮＩＣ部６の両方に、大容量の画像メモリ５４，６５を備える必要があり、コストの削減が困難であるという問題がある。
【０００９】
本発明は斯かる事情に鑑みてなされたものであり、装置本体が取得した画像データを中継部が送信データに変換して外部へ送信する場合に、前記画像データから送信データを生成する際に発生するデータを、従来は装置本体及び中継部の両方で蓄積していたが、装置本体のみで蓄積させるように構成することにより、前記中継部に高価で大容量のメモリを備える必要がなく、コストの削減を図ることが可能な送信装置を提供することを本発明の目的とする。
【課題を解決するための手段】
【００１０】
本発明に係る送信装置は、画像データを取得する装置本体と、該装置本体が取得した画像データを外部へ送信する中継部とを接続してなり、前記装置本体が取得した画像データを第１符号データに変換し、該第１符号データを第２符号データに変換し、前記中継部が前記第２符号データを送信データに変換して外部へ送信する送信装置において、前記装置本体は、前記第２符号データを蓄積する蓄積手段と、該蓄積手段に蓄積してある第２符号データを前記中継部へ送出する手段とを備えることを特徴とする。
【００１１】
本発明にあっては、装置本体が取得した画像データを中継部が送信データに変換して外部へ送信する送信装置において、前記装置本体が取得した画像データを第１符号データに変換し、生成された第１符号データを第２符号データに変換した上で装置本体の蓄積手段に蓄積する。装置本体は蓄積した第２符号データを中継部へ送出し、中継部は装置本体から取得した第２符号データを送信データに変換して外部へ送信する。この場合に、装置本体が取得した画像データから生成される第２符号データを装置本体において蓄積しておくことにより、中継部は前記第２符号データを蓄積しておく必要がない。
【００１２】
本発明に係る送信装置は、前記装置本体は、前記画像データを第１符号データに変換する第１符号化手段と、該第１符号化手段が生成した第１符号データを第２符号データに変換する第２符号化手段とを備えることを特徴とする。
【００１３】
本発明にあっては、装置本体が、取得した画像データを第１符号データに変換し、生成された第１符号データを第２符号データに変換して蓄積手段に蓄積する。また、装置本体は蓄積した第２符号データを中継部へ送出し、中継部は装置本体から取得した第２符号データを送信データに変換して外部へ送信する。この場合に、装置本体が取得した画像データから生成される第１符号データおよび第２符号データを装置本体において蓄積しておくことにより、中継部は前記第１符号データおよび第２符号データを蓄積しておく必要がない。また、装置本体は、原稿から読み取った画像データから、送信データに変換される前の第２符号データを生成するまでの処理を行ない、生成した第２符号データを中継部へ送出するため、装置本体から中継部へのデータの伝送量を増大させない。
【００１４】
本発明に係る送信装置は、前記装置本体は、前記画像データを第１符号データに変換する第１符号化手段と、該第１符号化手段が生成した第１符号データを前記中継部へ送出する手段とを備え、前記中継部は、前記装置本体が送出した第１符号データを第２符号データに変換する第２符号化手段と、該第２符号化手段が生成した第２符号データを前記装置本体へ送出する手段とを備え、前記蓄積手段は、前記中継部が送出した第２符号データを蓄積するように構成してあることを特徴とする。
【００１５】
本発明にあっては、装置本体が取得した画像データを第１符号データに変換して中継部へ送出し、中継部が装置本体から取得した第１符号データを第２符号データに変換して装置本体へ送出し、装置本体が中継部から取得した第２符号データを蓄積する。また、装置本体は蓄積した第２符号データを中継部へ送出し、中継部は装置本体から取得した第２符号データを送信データに変換して外部へ送信する。この場合に、装置本体が取得した画像データから生成される、送信データに変換される前の第２符号データを装置本体において蓄積しておくことにより、中継部は前記第２符号データを蓄積しておく必要がない。また、装置本体が取得した画像データから、外部へ送信するための送信データを生成するための処理を装置本体及び中継部において分担することにより、それぞれにおける処理負担を軽減することが可能となる。
【発明の効果】
【００１６】
本発明では、装置本体が取得した画像データを第１符号データに変換し、生成された第１符号データを第２符号データに変換した上で装置本体に蓄積しておくことにより、中継部は、装置本体が取得した画像データを外部へ送信するための送信データに変換する際に発生する第１符号データまたは第２符号データ等のデータを蓄積しておく必要がなく、大容量の画像メモリを設けておく必要がないためコストの削減を図ることができる。
【００１７】
また、本発明では、装置本体が、取得した画像データを第１符号データに変換し、生成された第１符号データを第２符号データに変換した上で蓄積しておく。また、装置本体は蓄積しておいた第２符号データを中継部へ送出し、中継部は装置本体から取得した第２符号データを送信データに変換して外部へ送信する。よって、中継部は、装置本体が取得した画像データから生成される第１符号データおよび第２符号データを蓄積しておく必要がなく、大容量の画像メモリを設けておく必要がないためコストの削減を図ることができる。また、装置本体は、原稿から読み取った画像データから生成した第２符号データのみを中継部へ送出するため、装置本体から中継部へのデータの伝送量を増大させず、読み取った画像データの送信処理を効率よく行なうことができる。
【００１８】
更に、本発明では、装置本体が取得した画像データを第１符号データに変換して中継部へ送出し、中継部が装置本体から取得した第１符号データを第２符号データに変換して装置本体へ送出し、装置本体が中継部から取得した第２符号データを蓄積する。また、装置本体は蓄積した第２符号データを中継部へ送出し、中継部は装置本体から取得した第２符号データを送信データに変換して外部へ送信する。よって、装置本体が取得した画像データから、外部へ送信するための送信データを生成するための処理を装置本体及び中継部において分担することにより、それぞれにおける処理負担を軽減することができる。また、装置本体が取得した画像データから生成される、送信データに変換される前の第２符号データを装置本体において蓄積しておくことにより、中継部は前記第２符号データを蓄積しておく必要がなく、第１符号データを第２符号データに変換する際に発生するデータを一時的に記憶するための少容量のメモリを備えれば足りる。
【発明を実施するための最良の形態】
【００１９】
以下、本発明をその実施の形態を示す図面を参照して具体的に説明する。なお、本発明の送信装置は、原稿を読み取って画像データを取得する装置本体と、装置本体が取得した画像データを送信データに変換して外部のＰＣへ送信する中継部とを含む。
【００２０】
（実施の形態１）
図１は本発明の送信装置としてのファクシミリ複合装置における装置本体の構成例を示すブロック図である。ファクシミリ複合装置１００における装置本体１は、ＭＰＵ１０，ＲＯＭ１１，ＲＡＭ１２，モデム１３，ＮＣＵ（Network Control Unit）１４，メモリ制御部１５，高速コーデック部１７等を主要構成要素として備えており、それぞれはシステムバス１ａを介して相互に接続されている。メモリ制御部１５は、イメージバス１ｂにも接続されており、イメージバス１ｂを介してプリンタ制御部１９及びスキャナ制御部２２とも接続されている。
【００２１】
ＭＰＵ１０は、システムバス１ａを介して装置本体１の上述したようなハードウェア各部と接続されていて、それらを制御すると共に、ＲＯＭ１１に格納された本発明の送信装置における装置本体としての動作に必要な種々の制御プログラムに従って、種々のソフトウェア的機能を実行する。ＲＡＭ１２は、ＳＲＡＭ又はフラッシュメモリ等で構成されており、ＭＰＵ１０による制御プログラムの実行時に発生するデータを一時的に記憶する。      
【００２２】
モデム１３は、ファクシミリ通信が可能なファックスモデムで構成されており、ＮＣＵ１４とも直接的に接続されている。ＮＣＵ１４は、公衆電話交換網Ｌに接続されるコネクタ１４ａに接続されており、必要に応じてモデム１３を公衆電話交換網Ｌに接続されたコネクタ１４ａと接続することにより、公衆電話交換網Ｌを介して外部のファクシミリ複合装置及びファクシミリ装置との間でのファクシミリ通信を可能としている。
【００２３】
スキャナ制御部２２は、メモリ制御部１５を介したＭＰＵ１０からの制御に従って、例えばＣＣＤ(Charge Coupled Device)を利用して光学系を介して原稿を読み取って画像データを取得する。スキャナ制御部２２は、取得した画像データを自身に接続されたページメモリ２３にページ単位で記憶すると共に、ページメモリ２３に記憶させた画像データをページ単位で出力する。スキャナ制御部２２は、読み取った画像データを例えば、プリンタ制御部１９を介してプリンタ２０へ出力する。
【００２４】
メモリ制御部１５にはＤＲＡＭにより構成された画像メモリ１６が接続されている。メモリ制御部１５は、例えば、モデム１３及びＮＣＵ１４を介したファクシミリ通信により受信した符号化された画像データ、スキャナ制御部２２により読み取られて高速コーデック部１７によって符号化された画像データ、または、イメージバス１ｂに直接接続されているコネクタ１８を介してＮＩＣ部３から送られてきた画像データなどを画像メモリ１６に記憶させる。
【００２５】
プリンタ制御部１９には、例えば電子写真方式のプリンタ２０及びページメモリ２１が接続されている。プリンタ制御部１９は、例えば、モデム１３及びＮＣＵ１４を介したファクシミリ通信により受信して高速コーデック部１７により復号した画像データ、スキャナ制御部２２により読み取った画像データ、または、コネクタ１８を介してＮＩＣ部３から送られてきた画像データなどを一旦ページメモリ２１にページ単位で記憶させ、記憶させた画像データに基づいた画像をプリンタ２０によって用紙に画像出力する。
【００２６】
高速コーデック部（第１符号化手段）１７は、例えばスキャナ制御部２２が読み取った画像データに、ＭＨ，ＭＲ，ＭＭＲ，ＪＢＩＧ等の方式に基づく符号化処理（ファクシミリ符号化処理）を行なってファクシミリ符号データ（第１符号データ）を生成し、メモリ制御部１５を介して画像メモリ１６に記憶させる。また、高速コーデック部１７は、モデム１３及びＮＣＵ１４を介して他のファクシミリ装置から受信した符号化された画像データを復号処理する。なお、高速コーデック部１７は、後述するＮＩＣ部３（図２参照）の低速コーデック部３４と比較して、符号化処理及び復号処理を高速に行なうことが可能である。
【００２７】
上述した構成により、ファクシミリ複合装置１００は、スキャナ制御部２２にて原稿を読み取って画像データを得る読取機能、読み取った画像データまたはファクシミリ通信により受信した画像データに応じた画像をプリンタ２０にて記録する記録機能、及び、読み取った画像データまたは受信した画像データをファクシミリ送信する送信機能を併せ持っている。
【００２８】
ここで、本実施の形態１におけるＭＰＵ（第２符号化手段）１０は、ＲＯＭ１１に予め記憶してある制御プログラムに従って、スキャナ制御部２２が原稿から読み取り、高速コーデック部１７が符号化して生成したファクシミリ符号データを、ＴＩＦＦ形式の符号データ（ＴＩＦＦ符号データ、第２符号データ）に変換する変換処理を実行する。従って、ＲＯＭ１１には、ファクシミリ符号データをＴＩＦＦ符号データに変換するための制御プログラムが予め記憶してある。なお、ＭＰＵ１０は、ファクシミリ符号データを変換して生成したＴＩＦＦ符号データをメモリ制御部１５へ出力して画像メモリ（蓄積手段）１６に蓄積させる。また、画像メモリ１６に蓄積されたＴＩＦＦ符号データは、ＭＰＵ１０からの指示によりコネクタ１８からＮＩＣ部３へ送出される。
【００２９】
図２は本発明の送信装置としてのファクシミリ複合装置における中継部としてのＮＩＣ部３の構成例を示すブロック図である。ファクシミリ複合装置１００におけるＮＩＣ部３は、ＭＰＵ３０，ＲＯＭ３１，ＲＡＭ３２，バッファ３３，低速コーデック部３４，ＬＡＮインタフェース３５，ＮＩＣインタフェース３６等を主要構成要素として備えており、それぞれはシステムバス３ａを介して相互に接続されている。なお、ＮＩＣ部３は、外部のＰＣとの間におけるデータの送受信を管理するためのオプションボードである。
【００３０】
ＭＰＵ３０は、システムバス３ａを介してＮＩＣ部３の上述したようなハードウェア各部と接続されていて、それらを制御すると共に、ＲＯＭ３１に格納された本発明の送信装置における中継部としての動作に必要な種々の制御プログラムに従って、種々のソフトウェア的機能を実行する。ＲＡＭ３２は、ＳＲＡＭ又はフラッシュメモリ等で構成されており、ＭＰＵ３０による制御プログラムの実行時に発生するデータを一時的に記憶する。
【００３１】
ＬＡＮインタフェース３５はＬＡＮポートとしてのコネクタ３５ａに接続されている。ＬＡＮインタフェース３５は、ＬＡＮ３５ｂを介して外部のＰＣに接続されており、外部のＰＣとの間でデータの送受を行う。これにより、ＮＩＣ部３は、コネクタ３５ａを介して外部のＰＣへデータを送信することができる。ＮＩＣインタフェース３６は、装置本体１のコネクタ１８に接続されるコネクタ３６ａに接続されており、装置本体１との間でデータの送受を行なう。
【００３２】
低速コーデック部３４は、ＬＡＮインタフェース３５を介して外部のＰＣから受信した画像データ、コネクタ３６ａを介して装置本体１から取得した画像データに必要に応じて、例えばＭＨ，ＭＲ，ＭＭＲ，ＪＢＩＧ等の方式に基づく符号化処理を行なう。なお、低速コーデック部３４は、ハードウェアにより構成してもよく、所定の符号化処理を実行する制御プログラムを例えばＲＯＭ３１に記憶させておき、この制御プログラムをＭＰＵ３０が実行することにより実現されるソフトウェア的機能であってもよい。
【００３３】
本発明のファクシミリ複合装置１００は、上述した構成の装置本体１とＮＩＣ部３とを接続することにより、ＮＩＣ部３を介して外部のＰＣから送られてきた印刷データに応じた画像を装置本体１のプリンタ２０にて記録する記録機能、及び、装置本体１で読み取った画像データまたはファクシミリ通信により受信した画像データをＮＩＣ部３から外部のＰＣへ送信する送信機能が更に備えられる。
【００３４】
ここで、本実施の形態１におけるＭＰＵ３０は、ＲＯＭ３１に予め記憶してある制御プログラムに従って、装置本体１からＴＩＦＦ符号データが入力された場合に、取得したＴＩＦＦ符号データをＭＩＭＥ形式の符号データ（ＭＩＭＥ符号データ、送信データ）に変換する変換処理を実行する。従って、ＲＯＭ３１には、ＴＩＦＦ符号データをＭＩＭＥ符号データに変換するための制御プログラムが予め記憶されている。なお、ＭＰＵ３０によるＴＩＦＦ符号データからＭＩＭＥ符号データへの変換処理時に一時的に発生するデータはバッファ３３に記憶される。また、ＮＩＣ部３は、ＭＰＵ３０によって生成されたＭＩＭＥ符号データを、ＳＭＴＰを利用した電子メールとして、ＬＡＮ３５ｂに接続された所定のＰＣを示すアドレス宛に送信する。
【００３５】
上述したように、ファクシミリ複合装置１００は、装置本体１が、スキャナ制御部２２で原稿から読み取った画像データを高速コーデック部１７でファクシミリ符号データに変換し、更にＭＰＵ１０による所定の制御プログラムの実行によってＴＩＦＦ符号データに変換した上で画像メモリ１６に蓄積する。これにより、ＮＩＣ部３は、装置本体１から取得するＴＩＦＦ符号データをＭＩＭＥ符号データに変換する際に発生するデータを記憶するためのバッファ３３が備えられていればよく、大容量のメモリを備える必要はない。
【００３６】
以下に、上述した構成のファクシミリ複合装置１００において、装置本体１が原稿から取得する画像データを外部のＰＣへ送信する際の装置本体１及びＮＩＣ部３の動作について説明する。図３は本発明のファクシミリ複合装置１００によるデータ送信処理手順を示すフローチャートである。以下の図３のフローチャートに示す各処理は、装置本体１のＭＰＵ１０及びＮＩＣ部３のＭＰＵ３０がＲＯＭ１１，３１にそれぞれ予め格納されている制御プログラムに従って実行する。
【００３７】
装置本体１のＭＰＵ１０は、図示しない原稿載置台に載置された原稿を読み取って得られた画像データを添付した電子メールを所定の宛先へ送信する送信処理が要求された場合、図示しない操作部のユーザによる操作によって所定の宛先を取得する（Ｓ１）。また、ＭＰＵ１０は、スキャナ制御部２２によって原稿載置台に載置された原稿を読み取り、画像データを取得し（Ｓ２）、高速コーデック部１７によってファクシミリ符号データに符号化して（Ｓ３）画像メモリ１６に一旦記憶させる。
【００３８】
ＭＰＵ１０は、ＲＯＭ１１に予め記憶させてある制御プログラムに従って、画像メモリ１６に記憶させたファクシミリ符号データをＴＩＦＦ符号データに変換し（Ｓ４）、画像メモリ１６に蓄積する（Ｓ５）。ＭＰＵ１０は、画像メモリ１６に記憶させたファクシミリ符号データを変換して得られたＴＩＦＦ符号データの全ての画像メモリ１６への蓄積が終了したか否かを判断しており（Ｓ６）、終了していないと判断した場合（Ｓ６：ＮＯ）、全てのＴＩＦＦ符号データを画像メモリ１６に蓄積するまで、ステップＳ４及びＳ５の処理を繰り返す。
【００３９】
ＭＰＵ１０は、全てのＴＩＦＦ符号データの画像メモリ１６への蓄積が終了したと判断した場合（Ｓ６：ＹＥＳ）、画像メモリ１６に蓄積したＴＩＦＦ符号データをＮＩＣ部３へ送出する（Ｓ７）。ＮＩＣ部３のＭＰＵ３０は、ＲＯＭ３１に予め記憶させてある制御プログラムに従って、装置本体１から取得したＴＩＦＦ符号データをＭＩＭＥ符号データに変換し（Ｓ８）、変換したＭＩＭＥ符号データを、ステップＳ１でファクシミリ複合装置１００が取得した所定の宛先へ送信する（Ｓ９）。
【００４０】
上述したように、ファクシミリ複合装置１００は、外部のＰＣへ送信すべく装置本体１のスキャナ制御部２２が原稿から読み取った画像データを高速コーデック部１７でファクシミリ符号データに変換し、更にＭＰＵ１０による所定の制御プログラムの実行によってＴＩＦＦ符号データに変換した上で画像メモリ１６に蓄積し、蓄積したＴＩＦＦ符号データをＮＩＣ部３が取得し、取得したＴＩＦＦ符号データをＭＩＭＥ符号データに変換してＬＡＮ３５ｂを介して外部のＰＣへ送信する。よって、スキャナ制御部２２が取得した画像データから、ＮＩＣ部３が外部へ送信するＭＩＭＥ符号データを生成する際に発生するファクシミリ符合データ及びＴＩＦＦ符号データをＮＩＣ部３が記憶する必要がない。従って、ＮＩＣ部３に大容量で高価なメモリを設ける必要がない。
【００４１】
（実施の形態２）
以下に、実施の形態２における送信装置について説明する。なお、本実施の形態２に係るファクシミリ複合装置は、上述した実施の形態１のファクシミリ複合装置１００と同様の構成を有するため、説明を省略する。
【００４２】
本実施の形態２に係るファクシミリ複合装置１００において、装置本体１は、スキャナ制御部２２で原稿から読み取った画像データを高速コーデック部１７でファクシミリ符号データに変換して一旦画像メモリ１６に記憶させた上でＮＩＣ部３へ送出する。ＮＩＣ部３のＭＰＵ（第２符号化手段）３０は、ＲＯＭ３１に予め記憶してある制御プログラムに従って、装置本体１から取得したファクシミリ符号データを、ＴＩＦＦ形式の符号データ（ＴＩＦＦ符号データ、第２符号データ）に変換する変換処理を実行する。従って、ＲＯＭ３１には、ファクシミリ符号データをＴＩＦＦ符号データに変換するための制御プログラムが予め記憶されている。
【００４３】
ＮＩＣ部３のＭＰＵ３０は、ファクシミリ符号データを変換して生成したＴＩＦＦ符号データをＮＩＣインタフェース３６からコネクタ３６ａを介して装置本体１へ送出し、装置本体１は、ＮＩＣ部３から取得したＴＩＦＦ符号データをメモリ制御部１５へ出力して画像メモリ１６に蓄積させる。また、装置本体１は、ＮＩＣ部３からのＴＩＦＦ符号データの全てを画像メモリ１６に蓄積した後に、画像メモリ１６に蓄積されたＴＩＦＦ符号データをコネクタ１８からＮＩＣ部３へ送出する。
【００４４】
ＮＩＣ部３のＭＰＵ３０は、ＲＯＭ３１に予め記憶してある制御プログラムに従って、装置本体１から取得するＴＩＦＦ符号データをＭＩＭＥ形式の符号データに変換し、生成されたＭＩＭＥ符号データを、ＳＭＴＰを利用した電子メールとして、ＬＡＮ３５ｂに接続された所定のＰＣを示すアドレス宛に送信する。
【００４５】
上述したように、ファクシミリ複合装置１００は、装置本体１がスキャナ制御部２２によって原稿から読み取った画像データから、ＮＩＣ部３が外部のＰＣへ送信するためのＭＩＭＥ符号データを生成するまでの各種の処理を装置本体１のＭＰＵ１０及びＮＩＣ部３のＭＰＵ３０に分担させて行なうことによって、それぞれのＭＰＵ１０，３０における処理負担を分散させることができる。また、ＮＩＣ部３は、装置本体１から取得したファクシミリ符号データをＴＩＦＦ符号データに変換する都度、ＮＩＣインタフェース３６から装置本体１へ送出することにより、ファクシミリ符号データをＴＩＦＦ符号データに変換する際に発生するデータおよびＴＩＦＦ符号データをＭＩＭＥ符号データに変換する際に発生するデータを記憶するためのバッファ３３が備えられていればよく、大容量のメモリを備える必要はない。
【００４６】
以下に、実施の形態２のファクシミリ複合装置１００において、装置本体１が原稿から取得する画像データを外部のＰＣへ送信する際の装置本体１及びＮＩＣ部３の動作について説明する。図４は本発明のファクシミリ複合装置１００によるデータ送信処理手順を示すフローチャートである。以下の図４のフローチャートに示す各処理は、装置本体１のＭＰＵ１０及びＮＩＣ部３のＭＰＵ３０がＲＯＭ１１，３１にそれぞれ予め格納されている制御プログラムに従って実行する。
【００４７】
装置本体１のＭＰＵ１０は、図示しない原稿載置台に載置された原稿を読み取って得られた画像データを添付した電子メールを所定の宛先へ送信する送信処理が要求された場合、図示しない操作部のユーザによる操作によって所定の宛先を取得する（Ｓ１１）。また、ＭＰＵ１０は、スキャナ制御部２２によって原稿載置台に載置された原稿を読み取り、画像データを取得し（Ｓ１２）、高速コーデック部１７によってファクシミリ符号データに符号化して（Ｓ１３）画像メモリ１６に一旦記憶させる。
【００４８】
ＭＰＵ１０は、画像メモリ１６に記憶させたファクシミリ符号データをコネクタ１８からＮＩＣ部３へ送出し（Ｓ１４）、ＮＩＣ部３のＭＰＵ３０は、ＲＯＭ３１に予め記憶させてある制御プログラムに従って、装置本体１から順次取得するファクシミリ符号データをＴＩＦＦ符号データに変換し（Ｓ１５）、変換されたＴＩＦＦ符号データをＮＩＣインタフェース３６から装置本体１へ送出する（Ｓ１６）。
【００４９】
装置本体１は、ＮＩＣ部３から順次取得するＴＩＦＦ符号データを画像メモリ１６に蓄積し（Ｓ１７）、装置本体１のＭＰＵ１０は、ＮＩＣ部３から送られてくる全てのＴＩＦＦ符号データの画像メモリ１６への蓄積が終了したか否かを判断する（Ｓ１８）。ＭＰＵ１０は、全てのＴＩＦＦ符号データの画像メモリ１６への蓄積が終了していないと判断した場合（Ｓ１８：ＮＯ）、全てのＴＩＦＦ符号データを画像メモリ１６に蓄積するまで、ステップＳ１７の処理を繰り返し、全てのＴＩＦＦ符号データの画像メモリ１６への蓄積が終了したと判断した場合（Ｓ１８：ＹＥＳ）、画像メモリ１６に蓄積したＴＩＦＦ符号データをＮＩＣ部３へ送出する（Ｓ１９）。なお、全てのＴＩＦＦ符号データの画像メモリ１６への蓄積が終了した場合には、ステップＳ１３で生成して画像メモリ１６に記憶してあるファクシミリ符号データを消去してもよい。
【００５０】
ＮＩＣ部３のＭＰＵ３０は、ＲＯＭ３１に予め記憶させてある制御プログラムに従って、装置本体１から取得したＴＩＦＦ符号データをＭＩＭＥ符号データに変換し（Ｓ２０）、変換したＭＩＭＥ符号データを、ステップＳ１１でファクシミリ複合装置１００が取得した所定の宛先へ送信する（Ｓ２１）。
【００５１】
上述したように、ファクシミリ複合装置１００は、外部のＰＣへ送信すべく装置本体１のスキャナ制御部２２が原稿から読み取った画像データを高速コーデック部１７でファクシミリ符号データに変換した後、ＮＩＣ部３によってＴＩＦＦ符号データに変換した上で装置本体１の画像メモリ１６に蓄積する。また、蓄積されたＴＩＦＦ符号データをＮＩＣ部３が取得し、取得したＴＩＦＦ符号データをＭＩＭＥ符号データに変換してＬＡＮ３５ｂを介して外部のＰＣへ送信する。
【００５２】
よって、スキャナ制御部２２が取得した画像データから、ＮＩＣ部３が外部へ送信するＭＩＭＥ符号データを生成するまでの各種の処理を装置本体１のＭＰＵ１０およびＮＩＣ部３のＭＰＵ３０によって分担することができる。また、スキャナ制御部２２が取得した画像データから、ＮＩＣ部３が外部へ送信するＭＩＭＥ符号データを生成する際に発生するファクシミリ符合データ及びＴＩＦＦ符号データをＮＩＣ部３が記憶する必要がない。
【００５３】
上述した例では、ＮＩＣ部３がＬＡＮ３５ｂに接続できるＬＡＮインタフェース３５を有する構成について説明したが、パラレル（Parallel）ポート及びＵＳＢポートなどの他の入力ポートに接続されるインタフェースを有するようにしてもよい。また、上述した実施の形態では、送信装置としてファクシミリ複合装置を用いた例を説明したが、原稿から読み取った画像データをネットワークを介して外部の装置へ送信する送信処理を実行する全ての送信装置に本発明を適用できることは言うまでもない。
【図面の簡単な説明】
【００５４】
【図１】本発明のファクシミリ複合装置における装置本体の構成例を示すブロック図である。
【図２】本発明のファクシミリ複合装置におけるＮＩＣ部の構成例を示すブロック図である。
【図３】本発明のファクシミリ複合装置によるデータ送信処理手順を示すフローチャートである。
【図４】本発明のファクシミリ複合装置によるデータ送信処理手順を示すフローチャートである。
【図５】従来の送信装置の概略構成例を示すブロック図である。
【符号の説明】
【００５５】
１００  ファクシミリ複合装置（送信装置）
１  装置本体
１０  ＭＰＵ（第２符号化手段）
１６  画像メモリ（蓄積手段）
１７  高速コーデック部（第１符号化手段）
３  ＮＩＣ部（中継部）
３０  ＭＰＵ（第２符号化手段）
【図１】
2005311445.tif 000003
【図２】
2005311445.tif 000004
【図３】
2005311445.tif 000005
【図４】
2005311445.tif 000006
【図５】
2005311445.tif 000007